(57)【特許請求の範囲】
【請求項１】
収納ケース（Ｂ）の内部に情報記録媒体用カートリッジ（Ａ）を収納し、この収納ケース（Ｂ）にシート状付属品（Ｃ）を添付した状態で包装する情報記録媒体用カートリッジの包装構造において、
収納ケース（Ｂ）の外周面にシート状付属品（Ｃ）を重ねた状態で、熱収縮性フィルム製の帯封である包装体（５）を収納ケース（Ｂ）およびシート状付属品（Ｃ）の外周面に巻き掛けて、包装体（５）で収納ケース（Ｂ）およびシート状付属品（Ｃ）の外周面の総面積の１／３〜１／２を覆っており、
包装体（５）の幅方向の両縁部（１０・１１）のうち、少なくとも一方の縁部に放電処理を行って複数個の微細孔あるいは所定深さのハーフカットを形成することで、包装体（５）の幅方向への切り裂きを容易にしたことを特徴とする情報記録媒体用カートリッジの包装構造。
【請求項２】
前記微細孔あるいは前記ハーフカットは、包装体（５）の幅方向の縁部に対してランダムに配置してある請求項１記載の情報記録媒体用カートリッジの包装構造。
【発明の詳細な説明】
【０００１】
【発明の属する技術分野】
本発明は、ディスクカートリッジやテープカートリッジを総称する情報記録媒体用カートリッジの包装形態に改良を加えたものである。
【０００２】
【従来の技術】
例えば、出荷時における従来のディスクカートリッジの包装形態は、図２に示すごとく一般に収納ケースＢの内部にディスクカートリッジＡを挿入して収納し、この収納ケースＢに、図３に示すラベルシート３やインデックスカード４などのシート状付属品Ｃを添付した状態で、収納ケースＢおよびシート状付属品Ｃを熱収縮性包装フィルムのシュリンク包装でまとめて包装している。
【０００３】
【発明が解決しようとする課題】
しかし、かかる従来形態では、これらが全面的に包み覆われる包装形態であるために、包装資材の廃棄物が多過ぎるところに問題がある。このため、包装を省略することを検討したが、これではユーザーが、使用中のカートリッジか、未使用のカートリッジかの分別がつき難い不利が残されている。また、包装フィルムに開封テープを設けることによって、包装フィルムの破断除去が容易に行えるようにしたものがあるが、開封テープの分だけ包装資材が多くなって、この点でも包装資材の廃棄物が多過ぎることになる。
【０００４】
本発明の目的は、可能な限りの簡易包装化を図り、省資源化に貢献できる情報記録媒体用カートリッジの包装構造を提供することにある。本発明の目的は、簡易包装化を図れながら、開封テープを設けなくても包装フィルムの破断除去が容易に行える情報記録媒体用カートリッジの包装構造を提供することにある。
【０００５】
【課題を解決するための手段】
本発明は、収納ケースＢの内部に情報記録媒体用カートリッジＡを収納し、この収納ケースＢにシート状付属品Ｃを添付した状態で包装する際に、例えば図１に示すごとくシート状付属品Ｃが収納ケースＢとまとめて包装されるように、収納ケースＢの外周面にシート状付属品Ｃを重ねて包装体５で簡易包装する。情報記録媒体用カートリッジとは、情報記録媒体がディスクの場合、ＭＤ、ＣＤ、ＰＤ、ＤＶＤ、フロッピィーディスクなどの各種のディスクカートリッジ情報であり、記録媒体が磁気テープの場合、オーディオ用、ビデオ用、データバックアップ用などのテープカートリッジを意味する。
【０００６】
その簡易包装として、包装体５が収納ケースＢおよびシート状付属品Ｃの外周面の総面積の１／２以下を覆うようにしたものである。ここでの総面積とは、ひとまとめに重ねた収納ケースＢおよびシート状付属品Ｃの各々の外周面のうち、重ならずに外方へ露出している面の合計面積のことである。包装体５は、収納ケースＢおよびシート状付属品Ｃの外周面の総面積の１／２以下であって、シート状付属品Ｃが収納ケースＢの外周面に確りと固定されるとともに、収納ケースＢから情報記録媒体用カートリッジＡが抜け落ちない程度の幅のものが選択される。具体的には、包装体５は、収納ケースＢおよびシート状付属品Ｃの外周面の総面積の１／２〜１／３程度が好ましいが、例えば１／５程度や１／１０程度であってもよい。
【０００７】
包装体５としては、図５に示すごとく収納ケースＢおよびシート状付属品Ｃの外周面に巻き掛けられた熱収縮性フィルム製の帯封にすることができる。包装体５は、この幅方向の両縁部１０・１１のうち、少なくとも一方の縁部に放電処理を行うことにより、包装体５の幅方向への切り裂きを容易にできる。ここでの放電処理には、電子ビーム放射やコロナ放電などが含まれる。
【０００８】
【作用】
情報記録媒体用カートリッジＡを収納した収納ケースＢの外周面には、図４に示すごとくシート状付属品Ｃが添付されている。この状態で、図１に示すごとく収納ケースＢおよびシート状付属品Ｃの外周面に包装体５を巻き掛け、この包装体５で収納ケースＢおよびシート状付属品Ｃがまとめて包装されることにより、シート状付属品Ｃが収納ケースＢの外周面に確りと固定されるとともに、収納ケースＢから情報記録媒体用カートリッジＡが抜け落ちないでいる。
【０００９】
【発明の効果】
本発明の簡易包装形態によれば、収納ケースＢの外周面にシート状付属品Ｃを確りと固定できながら、収納ケースＢおよびシート状付属品Ｃを全面的に包み覆わなくても済む分だけ包装工程が簡素化できるとともに、包装資材の省資源化が図れて低コスト化にも貢献することができる。
【００１０】
熱収縮性フィルム製の帯封の包装体５の縁部１０・１１に放電処理を行って包装体５の切り裂きを容易にしてあるので、開封テープを設けなくて済む分だけ簡易包装化を図れながら、放電処理を行った縁部のどの位置からでも容易に切り裂け、この結果、包装体５の破断除去が容易に行える。
【００１１】
【発明の実施の態様】
図１ないし図５は、本発明に係る情報記録媒体用カートリッジの包装構造を示しており、図２に示すごとく情報記録媒体用カートリッジＡの一例であるディスクカートリッジは、情報記録媒体２としてのＭＤ（ミニディスク）と、これを収容するカートリッジケース１とからなる。このカートリッジＡは、前面が開口した、いわゆるブックケース型の収納ケースＢに挿入されて個別に収納されている。収納ケースＢは、例えばリサイクルの容易なポリプロピレン樹脂で成形されている。
【００１２】
収納ケースＢの外周面には、図３に示すラベルシート３やインデックスカード４のシート状付属品Ｃが添付されている。つまり、図４に示すごとく収納ケースＢの下側にラベルシート３が重ねられ、更にこれらの下側に、コ字状に折り曲げたインデックスカード４が重ねられ、このインデックスカード４によって収納ケースＢの前面開口７が塞がれる。
【００１３】
この状態で、図１に示すごとく収納ケースＢおよびシート状付属品Ｃの外周面における左右方向の中央部に、包装体５が１本の帯封として前後方向に巻き掛けてある。つまり、包装体５は、例えばエンドレスの筒状とした幅約１０mmの熱収縮性フィルム（シュリンクフィルム）からなる帯封材を、収納ケースＢおよびシート状付属品Ｃの外周面にこれの左右の一側方から緩く嵌装したのち、加熱下で帯封材を熱収縮させることにより、収納ケースＢおよびシート状付属品Ｃに巻き掛けられる。ここでの上下および左右は説明の都合上の概念である。
【００１４】
このように包装体５によって収納ケースＢおよびシート状付属品Ｃがまとめて包装されるので、シート状付属品Ｃが収納ケースＢの外周面に固定されるうえ、収納ケースＢの前面開口７からカートリッジＡが抜け落ちないでいる。帯封材の幅は、ひとまとめに包装された収納ケースＢおよびシート状付属品Ｃの各々の外周面のうち、重ならずに外方へ露出している面の合計面積の１／２以下を覆う幅であればよい。
【００１５】
前記包装体５において更に、図５に示すごとく、左右の幅方向の両縁部１０・１１に対して、電子ビーム放射やコロナ放電などの放電処理を行って、複数個の微細孔あるいは所定深さのハーフカットを設けている。つまり、包装体５の両縁部１０・１１は、放電処理による抵抗熱で溶融されて、微細孔あるいはハーフカットが複数個形成されることにより強度が低下している。これによって包装体５は、比較的小さい力でも両縁部１０・１１から幅方向に引き裂くことができる。また、両縁部１０・１１のどの位置からでも引き裂くことができる。微細孔あるいはハーフカットは、図５に示すごとく両縁部１０・１１にランダムに配置してもよく、あるいは規則正しく並べて配置してもよい。
【００１６】
包装体５は、複数本に分けて収納ケースＢおよびシート状付属品Ｃの外周面に巻き掛けてもよい。この場合、各包装体５の左右幅寸法の合計が、ひとまとめに包装された収納ケースＢおよびシート状付属品Ｃの外周面の総面積の１／２以下を覆う幅であればよい。所定長さの帯封状の包装体５を収納ケースＢおよびシート状付属品Ｃの外周面に巻き掛けたのち、包装体５の両端どうしを接着剤で接着してもよい。包装体５はたすき掛け状態で巻き付けられてもよい。  
【００１７】
ひとまとめに包装された収納ケースＢおよびシート状付属品Ｃを複数巻上下に重ねた集合体を、先の包装体でひとまとめに包装してもよい。この場合、集合体を包装する包装体の幅は、ひとまとめになった収納ケースＢおよびシート状付属品Ｃの各々の外周面のうち、重ならずに外方へ露出している面の合計面積の１／２以下を覆う幅であればよい。
【図面の簡単な説明】
【図１】  本発明の情報記録媒体用カートリッジの包装構造を示す斜視図である。
【図２】情報記録媒体用カートリッジと収納ケースとを示す斜視図である。
【図３】収納ケースとシート状付属品とを示す斜視図である。
【図４】収納ケースにシート状付属品を添付した状態を示す側面図である。
【図５】  包装体の左右の両縁部に行った放電処理を示す平面図である。
【符号の説明】
５  包装体
１０・１１  包装体５の縁部
Ａ  情報記録媒体用カートリッジ
Ｂ  収納ケース
Ｃ  シート状付属品
【図１】
0004014173.tif 000002
【図２】
0004014173.tif 000003
【図３】
0004014173.tif 000004
【図４】
0004014173.tif 000005
【図５】
0004014173.tif 000006